(57)【要約】【課題】余計な手間やコストをかけることなく容易且つ確実に通信端末内のデータをバックアップすることができ、しかもバックアップしたデータを通信端末に容易且つ確実に反映させることが可能な充電器、通信システムおよび通信制御方法を提供する。【解決手段】充電器１０は、二次電池２４とメモリ２６とを含みＳＩＭカード６０ａを接続して所望の通信サービスを利用する通信端末２０に対して着脱可能に接続する。充電器１０は、ＳＩＭカード６０ｂと着脱可能に接続し、メモリ２６に記憶されている所定データをＳＩＭカード６０ｂへ書き込むＳＩＭカードリーダライタ１６を備える。ＳＩＭカードリーダライタ１６は、通信端末２０と充電器１０とが接続された場合、メモリ２６に記憶されている所定データをＳＩＭカード６０ｂに自動的にバックアップする。【選択図】      図１
2007174483.tif 000002
【特許請求の範囲】
【請求項１】
二次電池と記憶部とを含みＳＩＭカードを接続して所望の通信サービスを利用する通信端末に対して着脱可能に接続し、前記二次電池を充電する充電器であって、
ＳＩＭカードと着脱可能に接続し、前記通信端末に記憶されている所定データを該ＳＩＭカードへ書き込むデータ書込部を備えることを特徴とする充電器。
【請求項２】
前記通信端末は、前記充電器によって所定データが書き込まれたＳＩＭカードと接続し、該ＳＩＭカードから読み出した所定データを前記記憶部に展開することを特徴とする請求項１記載の充電器。
【請求項３】
前記データ書込部は、前記充電器による前記通信端末への充電が開始された場合、前記所定データのＳＩＭカードへの書き込みを開始することを特徴とする請求項１記載の充電器。
【請求項４】
前記データ書込部は、前記通信端末の記憶部にアクセスし、前記所定データを読み出すことを特徴とする請求項１記載の充電器。
【請求項５】
前記データ書込部によってＳＩＭカードに書き込まれるデータは、前記記憶部に記憶された電話帳データ、メールデータ、画像データおよび音楽データの内の少なくとも１つのデータであることを特徴とする請求項１乃至４のいずれか１項に記載の充電器。
【請求項６】
前記通信端末は、該通信端末と前記充電器とが接続された場合、前記通信端末内の所定データを読み出し、前記充電器へ送信する制御部を備えることを特徴とする請求項１記載の充電器。
【請求項７】
前記通信端末および前記充電器と接続するＳＩＭカードは、共通の利用者情報を有し且つ互いに異なるシリアル番号が付与されることを特徴とする請求項１記載の充電器。
【請求項８】
前記充電器と接続されるＳＩＭカードのシリアル番号は、前記通信端末と接続されるＳＩＭカードのシリアル番号よりも大きいことを特徴とする請求項７記載の充電器。
【請求項９】
通信端末と交換局とを備える通信システムにおいて、
前記通信端末は、利用者情報と所定のシリアル番号とが付与されるＳＩＭカードと接続し、
前記交換局は、所定のシリアル番号を利用者情報の一部として保持し、前記通信端末からの発信を受けると該通信端末のシリアル番号を受信し、前記保持シリアル番号と前記受信シリアル番号とを比較し、その比較結果に基づき前記発信を制御することを特徴とする通信システム。
【請求項１０】
前記交換局は、前記受信シリアル番号が前記保持シリアル番号よりも小さい場合、前記通信端末からの発信を無効とすることを特徴とする請求項９記載の通信システム。
【請求項１１】
前記交換局は、前記２つのシリアル番号が等しい場合または前記受信シリアル番号が前記保持シリアル番号よりも大きい場合、前記通信端末からの発信を有効とすることを特徴とする請求項９または１０記載の通信システム。
【請求項１２】
前記交換局は、前記受信シリアル番号が前記保持シリアル番号よりも大きい場合、前記保持シリアル番号を前記受信シリアル番号に置き換えることを特徴とする請求項９乃至１１のいずれか１項に記載の通信システム。
【請求項１３】
前記交換局は、前記受信シリアル番号が前記保持シリアル番号よりも小さい場合、前記通信端末からの発信を無効とするとともに、該通信端末に対して、その記憶部あるいは接続するＳＩＭカードのデータを消去する指示を与えることを特徴とする請求項１０記載の通信システム。
【請求項１４】
前記通信端末に接続するＳＩＭカードには、該通信端末に関わる所定データが書き込まれていることを特徴とする請求項９乃至１３のいずれか１項に記載の通信システム。
【請求項１５】
前記所定データは、前記通信端末の二次電池を充電する充電器によって書き込まれることを特徴とする請求項１４記載の通信システム。
【請求項１６】
前記充電器は、ＳＩＭカードと着脱可能に接続し、前記所定データを該ＳＩＭカードへ書き込むデータ書込部を備えることを特徴とする請求項１５記載の通信システム。
【請求項１７】
前記充電器と接続されるＳＩＭカードのシリアル番号は、前記通信端末と接続されるＳＩＭカードのシリアル番号よりも大きいことを特徴とする請求項１５または１６記載の通信システム。
【請求項１８】
前記所定データは、電話帳データ、メールデータ、画像データおよび音楽データの内の少なくとも１つのデータであることを特徴とする請求項１４乃至１７のいずれか１項に記載の通信システム。
【請求項１９】
ＳＩＭカードを備える通信端末からの発信を制御する交換局における通信制御方法であって、
前記通信端末からの発信を受けると該通信端末のシリアル番号を受信し、
受信した前記シリアル番号と交換局において利用者情報の一部として保持される所定のシリアル番号とを比較し、
その比較結果に基づき前記発信を制御する
ことを特徴とする通信制御方法。
【請求項２０】
前記受信シリアル番号が前記保持シリアル番号よりも小さい場合、前記通信端末からの発信を無効とすることを特徴とする請求項１９記載の通信制御方法。
【請求項２１】
前記２つのシリアル番号が等しい場合、または前記受信シリアル番号が前記保持シリアル番号よりも大きい場合、前記通信端末からの発信を有効とすることを特徴とする請求項１９または２０記載の通信制御方法。
【請求項２２】
前記交換局は、前記受信シリアル番号が前記保持シリアル番号よりも大きい場合、前記保持シリアル番号を前記受信シリアル番号に置き換えることを特徴とする請求項１９乃至２１のいずれか１項に記載の通信制御方法。
【請求項２３】
前記受信シリアル番号が前記保持シリアル番号よりも小さい場合、前記通信端末からの発信を無効とするとともに、該通信端末に対して、その記憶部内あるいは接続するＳＩＭカードのデータを消去する指示を与えることを特徴とする請求項２０記載の通信制御方法。
【請求項２４】
前記通信端末に接続するＳＩＭカードには、該通信端末に関わる所定データが書き込まれていることを特徴とする請求項１９乃至２３のいずれか１項に記載の通信制御方法。
【請求項２５】
前記所定データは、前記通信端末の二次電池を充電する充電器によって書き込まれることを特徴とする請求項２４記載の通信制御方法。
【請求項２６】
前記所定データは、電話帳データ、メールデータ、画像データおよび音楽データの内の少なくとも１つのデータであることを特徴とする請求項２４または２５記載の通信制御方法。
【発明の詳細な説明】
【技術分野】
【０００１】
本発明は、通信端末の充電器、通信システムおよび通信制御方法に関し、特に、ＳＩＭ（Subscriber Identity Module）カードを使用する通信端末の充電器、通信システムおよび通信制御方法に関する。
【背景技術】
【０００２】
携帯電話機等の通信端末は、電話帳データや音楽データ等の様々なデータ（以下、これらを通信端末内データとも言う）を内部メモリに記憶している。利用者は、通信端末の買い換え時に備えて、あるいはデータ消去時に備えて、通信端末内データをデータバックアップ装置にバックアップする。データバックアップ装置としては、例えば、ＵＳＢ（Universal Serial Bus）メモリ等の所謂メモリモジュール、パソコンあるいは通信端末事業者等が管理するセンターサーバ等を挙げることができる。
【０００３】
しかしながら、通信端末内データを上記のようなバックアップ装置に記憶する作業は、通信端末を使用する上で定常的に行われるものではない。従って、利用者は、データバックアップ作業に対してそれなりの労力と時間を費やす必要がある。また、定常的な作業で無いが故に、作業自体が忘れられ、大事なデータがバックアップされないという自体も予想される。さらに、これらのデータバックアップ装置は、通信端末と別に購入あるいは契約しなければならず、利用者は余計な出費を強いられる。
【０００４】
そこで、特開２００３−１８２８２号公報には、通信端末内データを通信端末に装着されたＳＩＭカードにバックアップする技術が開示されている。また、特開２００４−１１２４５８号公報および特開２００１−２０２２９２号公報には、通信端末を充電する際、充電と同時に通信端末内のデータを充電器に装填されたメモリカードにバックアップすることが開示されている。
【０００５】
ＳＩＭカードや充電器に搭載するメモリカードへのデータ書込み作業は、通信端末を使用する上で定常的に行われる作業であるため、作業者は余計な手間をかけることなく重要なデータを容易にバックすることが可能となる。さらに、ＳＩＭカードや充電器は、通常、通信端末の購入料金の中に含まれるので、利用者は、データバックアップのために新たな出費を強いられない。
【０００６】
【特許文献１】特開２００３−１８２８２号公報（段落［０００７］、［０００８］、［００２８］）
【特許文献２】特開２００４−１１２４５８号公報（段落［００２４］［図１］）
【特許文献３】特開２００１−２０２２９２号公報（段落［００５９］［０１０８］乃至［０１１２］）
【発明の開示】
【発明が解決しようとする課題】
【０００７】
しかしながら、通信端末内データを通信端末に装着されたＳＩＭカードにバックアップする場合、以下のような問題の発生が予想される。ＳＩＭカードは通話に必須であり、通常、通信端末内に装着されたままとなる。すなわち、通信端末を紛失した場合、ＳＩＭカードも一緒に紛失する可能性が極めて高い。従って、通信端末内データをそれに接続するＳＩＭカードにバックアップする方法は、ＳＩＭカードを挿入したまま通信端末を紛失した場合にバックアップしたデータが全て無駄なものとなってしまうという欠点を有する。
【０００８】
一方、通信端末内データを充電器に装着されたメモリカードにバックする場合、以下のような問題の発生が予想される。現在、様々な仕様のメモリカードが市場に出回っている。そして、少なくとも現時点においては、必ずしも全ての通信端末ベンダーが同じ仕様のメモリカードを採用するわけではなく、また、将来的にメモリカードの仕様が統一される補償もない。従って、利用者が通信端末を別のベンダーのものに切換える際、データバックアップされたメモリカードが新たに購入した通信端末で使用できない、という自体が起こりうる。その場合、利用者は、例えば、そのメモリカード内のデータを一旦パソコン等に吸上げて、その吸上げたデータを新しい通信端末に書き込む等余計な手間を強いられる。
【０００９】
本発明は、上記の課題を解決するためになされたものであり、余計な手間やコストをかけることなく容易且つ確実に通信端末内のデータをバックアップすることができ、しかもバックアップしたデータを通信端末に容易且つ確実に反映させることが可能な充電器、通信システムおよび通信制御方法を提供することを目的とする。
【課題を解決するための手段】
【００１０】
前記課題を解決するために、本発明の充電器は、二次電池と記憶部とを含みＳＩＭカードを接続して所望の通信サービスを利用する通信端末に対して着脱可能に接続し、前記二次電池を充電する充電器であって、ＳＩＭカードと着脱可能に接続し、前記通信端末に記憶されている所定データを該ＳＩＭカードへ書き込むデータ書込部を備える。
【００１１】
この場合、前記通信端末は、前記充電器によって所定データが書き込まれたＳＩＭカードと接続し、該ＳＩＭカードから読み出した所定データを前記記憶部に展開することもできる。また、前記データ書込部は、前記充電器による前記通信端末への充電が開始された場合、前記所定データのＳＩＭカードへの書き込みを開始することもできる。また、前記データ書込部は、前記通信端末の記憶部にアクセスし、前記所定データを読み出すこともできる。また、前記データ書込部によってＳＩＭカードに書き込まれるデータは、前記記憶部に記憶された電話帳データ、メールデータ、画像データおよび音楽データの内の少なくとも１つのデータであってもよい。また、前記通信端末は、該通信端末と前記充電器とが接続された場合、前記通信端末内の所定データを読み出し、前記充電器へ送信する制御部を備えることできる。また、前記通信端末および前記充電器と接続するＳＩＭカードは、共通の利用者情報を有し且つ互いに異なるシリアル番号が付与されてもよい。また、前記充電器と接続されるＳＩＭカードのシリアル番号は、前記通信端末と接続されるＳＩＭカードのシリアル番号よりも大きくすることができる。
【００１２】
また、本発明の通信システムは、通信端末と交換局とを備える通信システムにおいて、前記通信端末は、利用者情報と所定のシリアル番号とが付与されるＳＩＭカードと接続し、前記交換局は、所定のシリアル番号を利用者情報の一部として保持し、前記通信端末からの発信を受けると該通信端末のシリアル番号を受信し、前記保持シリアル番号と前記受信シリアル番号とを比較し、その比較結果に基づき前記発信を制御する。
【００１３】
前記交換局は、前記受信シリアル番号が前記保持シリアル番号よりも小さい場合、前記通信端末からの発信を無効とすることができる。また、前記交換局は、前記２つのシリアル番号が等しい場合または前記受信シリアル番号が前記保持シリアル番号よりも大きい場合、前記通信端末からの発信を有効とすることもできる。また、前記交換局は、前記受信シリアル番号が前記保持シリアル番号よりも大きい場合、前記保持シリアル番号を前記受信シリアル番号に置き換えることもできる。また、前記交換局は、前記受信シリアル番号が前記保持シリアル番号よりも小さい場合、前記通信端末からの発信を無効とするとともに、該通信端末に対して、その記憶部あるいは接続するＳＩＭカードのデータを消去する指示を与えることできる。また、前記通信端末に接続するＳＩＭカードには、該通信端末に関わる所定データが書き込まれていてもよい。この所定データは、前記通信端末の二次電池を充電する充電器によって書き込まれてもよい。また、前記充電器は、ＳＩＭカードと着脱可能に接続し、前記所定データを該ＳＩＭカードへ書き込むデータ書込部を備えることもできる。また、前記充電器と接続されるＳＩＭカードのシリアル番号は、前記通信端末と接続されるＳＩＭカードのシリアル番号よりも大きくすることもできる。また、前記所定データは、電話帳データ、メールデータ、画像データおよび音楽データの内の少なくとも１つのデータとすることもできる。
【００１４】
また、本発明の通信制御方法は、ＳＩＭカードを備える通信端末からの発信を制御する交換局における通信制御方法であって、前記通信端末からの発信を受けると該通信端末のシリアル番号を受信し、受信した前記シリアル番号と交換局において利用者情報の一部として保持される所定のシリアル番号とを比較し、その比較結果に基づき前記発信を制御する。
【００１５】
前記受信シリアル番号が前記保持シリアル番号よりも小さい場合、前記通信端末からの発信を無効とすることができる。また、前記２つのシリアル番号が等しい場合、または前記受信シリアル番号が前記保持シリアル番号よりも大きい場合、前記通信端末からの発信を有効とすることもできる。また、前記交換局は、前記受信シリアル番号が前記保持シリアル番号よりも大きい場合、前記保持シリアル番号を前記受信シリアル番号に置き換えることもできる。また、前記受信シリアル番号が前記保持シリアル番号よりも小さい場合、前記通信端末からの発信を無効とするとともに、該通信端末に対して、その記憶部内あるいは接続するＳＩＭカードのデータを消去する指示を与えることもできる。また、前記通信端末に接続するＳＩＭカードには、該通信端末に関わる所定データが書き込まれていてもよい。この所定データは、前記通信端末の二次電池を充電する充電器によって書き込まれてもよい。また、この所定データは、電話帳データ、メールデータ、画像データおよび音楽データの内の少なくとも１つのデータであってもよい。
【発明の効果】
【００１６】
本発明の充電器は、ＳＩＭカードと着脱可能に接続し、通信端末内の所定データを該ＳＩＭカードへ書き込むデータ書込部を備える。すなわち、通信端末内の所定データは、定常的な作業である充電作業を行う度に自動的にバックアップされる。よって、利用者は、バックアップ作業において余計な手間を強いられることがなく、しかも通信端末内のデータを確実にバックアップすることが可能となる。さらに、本発明の場合、データバックアップ装置を、単なるメモリカードではなく通信端末において標準仕様として定められているＳＩＭカードとする。従って、機種間の互換性が保たれ、上記の如きデータバックアップしたＳＩＭカードを、新たに購入した通信端末に直接接続することができる。すなわち、利用者は、バックアップしたデータを新たな通信端末へ容易に反映することが可能となる。
【００１７】
また、本発明の通信システムおよび通信制御方法によれば、一人の利用者に対して複数のＳＩＭカードが発行された場合のＳＩＭカード不正使用禁止を容易且つ確実に防ぐことが可能となる。すなわち、利用者は、１枚目のＳＩＭカードを紛失した場合、データバックアップされた２枚目のＳＩＭカードを通信端末に接続して発信（交換局に報告）するだけで、それ以降の１枚目のＳＩＭカードの不正使用を防止することが可能となる。
【発明を実施するための最良の形態】
【００１８】
本発明の最良の実施の形態について図面を参照して以下詳細に説明する。図１は、本発明の実施形態に係わる充電器１０と、該充電器が充電する通信端末２０の構成例を示すブロック図である。充電器１０は、通信端末接続部１２と、充電回路１４と、ＳＩＭカードリーダライタ１６（データ書込部）とを備える。通信端末接続部１２は、通信端末２０の充電器接続部２２と着脱可能に接続する。通信端末接続部１２は、充電電流を充電回路１４から二次電池２４へ供給する電源ラインと、ＳＩＭカードリーダライタ１６と通信端末２０との間でデータをやり取りするデータラインとを含む。充電回路１４は、ＡＣ電源５０から供給される電力から充電電流を生成する。充電電流は、電源ラインを介して二次電池２４へ供給される。ＳＩＭカードリーダライタ１６は、ＳＩＭカード６０ｂと着脱可能に接続し、通信端末２０のメモリ２６に記憶される所定データ（例えば、電話帳データ、メールデータ、画像データおよび音楽データ）をＳＩＭカード６０ｂへ書き込む。ＳＩＭカードリーダライタ１６は、ＳＩＭカード６０ｂと着脱可能に接続するカードスロット機構や、リード／ライトアドレスを制御するアクセス制御回路等から構成される。
【００１９】
尚、ＳＩＭカードリーダライタ１６は、通信端末２０側の制御部３４、あるいは、充電器１０側に搭載した制御部（不図示）によって制御される。通信端末２０側の制御部３４がＳＩＭカードリーダライタ１６を制御する場合、制御部３４は、メモリ２６から所定データを読み出し、読み出した所定データをＳＩＭカードリーダライタ１６へ送信する。一方、充電器１０側の制御部がＳＩＭカードリーダライタ１６を制御する場合、この制御部が通信端末２０のメモリ２６に直接アクセスし、あるいは制御部３４に対して所定データを送信する指示を出す。制御部は、取得した所定データをＳＩＭカードリーダライタ１６へ送信する。尚、以下の説明では、通信端末２０側の制御部３４がＳＩＭカードリーダライタ１６を制御する場合を例に挙げる。
【００２０】
ここで、上記の如き充電器１０に接続されて、二次電池２４が充電され且つメモリ２６内の所定データがＳＩＭカード６０ｂにバックアップされる通信端末２０の構成について説明する。通信端末２０は、図１に示すように、充電器接続部２２と、二次電池２４と、メモリ２６と、制御部３４と、通信部３６と、ＳＩＭカードリーダライタ３８とを備える。充電器接続部２２は、充電器１０の通信端末接続部１２と着脱可能に接続する。充電器接続部２２は、充電電流を充電回路１４から二次電池２４へ供給する電源ラインと、制御部３４とＳＩＭカードリーダライタ１６との間でデータをやり取りするデータラインとを含む。二次電池２４は、通信端末２０全体に電力を供給するとともに、充電器接続部２２を介して接続される充電回路１４からの充電電流によって充電される。二次電池２４としては、例えば、リチウムイオン電池を挙げることができる。メモリ２６は、制御部３４がアクセス可能な記録媒体であり、通信端末２０の動作を規定するプログラムやデータを保存する。データとしては、例えば、電話帳データ２８、メールデータ３０、画像・音楽データ３２等を挙げることができる。制御部３４は、主にＣＰＵ（Central Processing Unit）等のコントローラで構成され、通信端末２０全体、場合によっては充電器１０を制御する。制御部３４は、充電器接続部２２を監視して充電器１０が接続されたか否かを判定する。充電器１０が接続された場合、制御部３４は、メモリ２６から読み出した所定データを、ＳＩＭカードリーダライタ１６を介してＳＩＭカード６０ｂへ書き込む。通信部３６は、無線基地局（不図示）を介して他の通信機器、例えば、交換局や他の通信端末との間で通信を行う。ＳＩＭカードリーダライタ３８は、ＳＩＭカード６０ａと着脱可能に接続し、ＳＩＭカード６０ａ内のデータを読み出し、あるいは所定データをＳＩＭカード６０ｂに書き込む制御を行う。ＳＩＭカードリーダライタ３８は、ＳＩＭカード６０ａと着脱可能に接続するカードスロット機構や、リード／ライトアドレスを制御するアクセス制御回路等から構成される。尚、当然のことながら、ＳＩＭカードリーダライタ３８は、充電器１０によって所定データがバックアップされたＳＩＭカード６０ｂとも接続可能であり、制御部３４はＳＩＭカード６０ｂから読み出した所定データをメモリ２６に展開する。また、以上説明した通信端末２０は、例えば、携帯電話機、ＰＨＳ（Personal Handyphone System）、あるいはＰＤＡ（Personal Digital Assistance）等の汎用の移動端末である。
【００２１】
図２は、本発明の実施形態で使用されるＳＩＭカード６０ａ、６０ｂのフォーマットの一例である。ＳＩＭカード６０ａ、６０ｂは、管理情報格納部１５０とユーザデータ格納部１５２とを備える。管理情報格納部１５０は、利用者を識別するための利用者識別情報を格納する利用者識別情報格納部１６０と、同一の利用者に複数のＳＩＭカードが発行される場合に各ＳＩＭカードを識別するためのシリアル番号を格納するシリアル番号格納部１６２とを備える。尚、管理情報格納部１５０の情報は、不正ができないようにＲＯＭ（Read Only Memory）に書かれており、利用者はこれらの情報を読み出すことはできるが書き込むことはできない。一方、ユーザデータ格納部１５２は、利用者が任意にデータを読み出し、書き込むことが可能なエリアである。ユーザデータ格納部１５２には、例えば、通信端末２０の電話帳データ２８、メールデータ３０あるいは画像・音楽データ３２等が格納される。
【００２２】
次に、この充電器１０の動作例について説明する。尚、以下の動作説明では、同一の利用者に複数のＳＩＭカード６０が発行されることを前提とする。具体的には、図３に示すように、２枚のＳＩＭカード６０ａ、６０ｂが発行される場合を例に挙げる。この場合、ＳＩＭカード６０ａとＳＩＭカード６０ｂとは利用者識別情報１６０が共通で（例えば“ＡＡＡ”）、シリアル番号１６２が互いに異なる。この場合、１枚目のＳＩＭカード６０ａのシリアル番号を“１”とし、２枚目のＳＩＭカード６０ｂのシリアル番号を“２”とする。通信端末２０のサービスを提供する電話会社は、２枚のＳＩＭカード６０ａ、６０ｂを、利用者に発行する。
【００２３】
図４は、充電器１０の動作例を説明するフローチャートである。尚、充電器１０は、前述したとおり、通信端末２０の制御部３４によって制御される。従って、正確には、図４は、制御部３４の動作例を説明するものでもある。利用者は、１枚目のＳＩＭカード６０ａを通信端末２０のＳＩＭカードリーダライタ３８に接続し、２枚目のＳＩＭカード６０ｂを充電器１０のＳＩＭカードリーダライタ１６へ接続する。ここで、通信端末２０は、バックアップ対象となるデータを決定する（ステップＳ１）。尚、この決定は、利用者が任意に決定することもでき、あるいは利用者に対して選択の余地を与えず特定のデータを強制的に決定することもできる。通信端末２０の制御部３４は、充電器接続部２２に充電器１０が接続したか否かを判定する（ステップＳ２）。充電器１０の接続を検出した場合、制御部３４は、電源ラインを介して充電器１０から入力する充電電流による二次電池２４の充電を開始する（ステップＳ３）。尚、この二次電池２４の充電は、必ずしも制御部３４が介在する必要はなく、二次電池２４と充電回路１４とが接続した時点で自動的に充電を開始する構成とすることもできる。制御部３４は、ステップＳ１において決定したデータをメモリ２６から読み出す（ステップＳ４）。制御部３４は、読み出したデータを、充電器１０のＳＩＭカードリーダライタ１６に送信する。ＳＩＭカードリーダライタ１６は、受信したデータをＳＩＭカード６０ｂのユーザデータ格納部１５２へ書き込む（ステップＳ５）。
【００２４】
以上説明したように、本実施形態の充電器１０は、通信端末２０のメモリ２６に格納されている所定データを、ＳＩＭカード６０ｂにバックアップするためのＳＩＭカードリーダライタ１６を備える。そして、その所定データは、充電処理と同時にＳＩＭカード６０ｂにバックアップされる。充電作業は、通信端末２０を使用する上で定常的な作業である。従って、利用者は、データバックアップ作業の為に余計な手間をかける必要はない。しかも、通信端末２０を使用する上で充電作業が忘れられることはないので、データバックアップ作業が滞ることによるデータ消失も回避できる。さらに、充電器１０やＳＩＭカード６０ａ、６０ｂの購入費用は、通常、通信端末２０の購入費用の中に含まれているから、利用者は、データバックアップのために新たな出費を強いられることもない。
【００２５】
さらに、ＳＩＭカードは、少なくとも特定のシステム（例えば、ＧＳＭシステムやＩＭＴ―２０００システム）内においては必須の仕様であり、全ての通信端末２０がこの仕様に対応している。すなわち、データバックアップ先をＳＩＭカードとすることにより、機種間の互換性が保たれる。従って、上記の如きデータバックアップしたＳＩＭカード６０ｂを、例えば、新たに購入した通信端末２０に直接接続することができる。よって、利用者は、バックアップしたデータを新たな通信端末２０へ容易に反映することが可能となる。
【００２６】
さらに、本実施形態では、通信端末２０内のデータを、通信端末２０に接続するＳＩＭカードではなく別のＳＩＭカード（すなわち、充電器１０に接続するＳＩＭカード６０ｂ）にバックアップする。従って、例えば、１枚目のＳＩＭカード６０ａを通信端末２０もろとも紛失した場合であっても、データは２枚目のＳＩＭカード６０ｂにバックアップされているから、利用者は、大切なデータを失うことはない。
【００２７】
尚、上記の実施形態では、ＳＩＭカードへのデータバックアップの開始タイミングを通信端末２０と充電器１０とが接続されたタイミングとしているが、必ずしもこれに限定されない。例えば、通信端末２０と充電器１０とが接続された後、実際に二次電池２４への充電が開始されたタイミングでデータバックアップを開始することも可能である。
【００２８】
また、上記の実施形態では、通信端末２０のメモリ２６内のデータを２枚目のＳＩＭカード６０ｂにバックアップしているが、ＳＩＭカード６０ｂにバックアップされるデータは必ずしもこれに限定されない。例えば、ＳＩＭカード６０ｂに１枚目のＳＩＭカード６０ａのデータをバックアップすることもできる。
【００２９】
図５は、本発明の実施形態の通信システム２００の構成例を示すブロック図である。通信システム２００は、前述した通信端末２０および充電器１０と、交換局２５０とを備える。通信端末２０および充電器１０は、上記のとおり、各々ＳＩＭカード６０ａ、６０ｂと接続する。交換局２５０は、通信部２５２と、メモリ２５４と、制御部２５６とを備える。通信部２５２は、無線基地局（不図示）を介して通信端末２０との間で通信を行う。メモリ５４は、制御部２５６がアクセス可能な記録媒体であり、交換局２５０の動作を規定するプログラムやデータを格納する。メモリ５４は、例えば、ＳＩＭカード管理情報格納部２５８を備える。制御部２５６は、主にＣＰＵ等のコントローラで構成され、交換局２５０全体を制御する。
【００３０】
図６は、前述したＳＩＭカード管理情報格納部２５８のデータフォーマットの一例である。ＳＩＭカード管理情報格納部２５８は、利用者識別情報格納部３００とシリアル番号格納部３０２とを含み、これらには、図２に示す管理情報格納部１５０に対応する情報が各々格納される。具体的には、利用者識別情報格納部３００にはＳＩＭカードの利用者識別情報が格納され、シリアル番号格納部３０２にはＳＩＭカードのシリアル番号が格納される。尚、ＳＩＭカード管理情報格納部２５８の内容は、制御部２５６によって任意に更新される。
【００３１】
次に、この通信システム２００の動作例について説明する。尚、以下の説明では、図３を用いて説明したとおり、同一の利用者に、２枚のＳＩＭカード６０ａ、６０ｂが発行される場合を例に挙げる。利用者は、１枚目のＳＩＭカード６０ａ（シリアル番号＝“１”）を通信端末２０へ接続し、２枚目のＳＩＭカード６０ｂ（シリアル番号＝“２”）を充電器１０に接続する。さらに、通信端末２０を充電する際、充電器１０に接続するＳＩＭカード６０ｂには、ＳＩＭカードリーダライタ１６によって通信端末２０の所定データが書き込まれる。この場合、ＳＩＭカード６０ｂには、例えば、通信端末２０の電話帳データ２８、メールデータ３０あるいは画像・音楽データ３２が書き込まれる。
【００３２】
図７は、主に交換局２５０の動作例を説明するものであって、一人の利用者に複数のＳＩＭカード６０ａ、６０ｂが発行された際のＳＩＭカードの不正使用を防止するための手順を説明するフローチャートである。
【００３３】
交換局２５０の制御部２５６は、初期シリアル番号をＳＩＭカード管理情報格納部２５８に格納する（ステップＳ１０）。初期シリアル番号は、通常、発行されたＳＩＭカードの内、最も数字が若いシリアル番号（本実施形態の場合、シリアル番号＝“１”となる）である。以下、この初期シリアル番号も含むＳＩＭカード管理情報格納部２５８に格納されるシリアル番号を「格納シリアル番号」と言う。次いで、制御部２５６は、通信端末２０から発信を受けたか否かを判定する（ステップＳ１１）。発信を受けた場合、制御部２５６は、通信端末２０からそれに接続されるＳＩＭカードのシリアル番号を受信する（ステップＳ１２）。制御部２５６は、受信したシリアル番号（以下、「受信シリアル番号」とも言う）と、格納シリアル番号とを比較し、両者が等しいか否かを判定する（ステップＳ１３）。両者が異なる場合（ステップＳ１３のＮｏ判定の場合）、制御部２５６は、受信シリアル番号が、格納シリアル番号よりも大きいか否かを判定する（ステップＳ１４）。
【００３４】
受信シリアル番号と格納シリアル番号とが等しいと判定された場合（ステップＳ１３のＹｅｓ判定の場合）、制御部２５６は、通信端末２０からの発信を正規なものと判断し、該発信を有効とする（ステップＳ１６）。
【００３５】
受信シリアル番号が格納シリアル番号よりも大きいと判定された場合（ステップＳ１４のＹｅｓ判定の場合）、すなわち、充電器１０によってデータバックアップされた２枚目のＳＩＭカード６０ｂからの発信であった場合、制御部２５６は、ステップＳ１５の処理を実行する。ステップＳ１５において、制御部２５６は、格納シリアル番号を受信シリアル番号に更新する（ステップＳ１５）。例えば、制御部２５６は、格納シリアル番号を“１”から“２”へ更新する。そして、制御部２５６は、該発信を有効とする（ステップＳ１６）。
【００３６】
一方、受信シリアル番号が格納シリアル番号よりも小さいと判定された場合（ステップＳ１４のＮｏ判定の場合）、すなわち、紛失したはずの１枚目のＳＩＭカード６０ａからの発信であった場合、制御部２５６は、所定の不正使用禁止処理を実行する（ステップＳ１７）。不正使用禁止処理は、該発信を無効とする処理でもよく、あるいは、該発信に使用した通信端末２０に対して、そのメモリ２６内のデータ、または１枚目のＳＩＭカード６０ａのユーザデータ格納部１５２のデータを消去する指令を与える処理とすることもできる。
【００３７】
以上説明したように、本実施の形態の通信システム２００は、一人の利用者に対して複数のＳＩＭカードが発行された場合のＳＩＭカードの不正使用禁止を容易且つ確実に防ぐことが可能となる。すなわち、利用者は、１枚目のＳＩＭカード６０ａを紛失した場合、データバックアップされた２枚目のＳＩＭカード６０ｂを通信端末２０に接続して発信（交換局２５０に報告）するだけで、それ以降の１枚目のＳＩＭカード６０ａの使用を防止することが可能となる。
【００３８】
尚、上記の実施形態では、同一の利用者に対して発行されるＳＩＭカードの枚数を２枚として説明したが、３枚以上であってもよいことは言うまでもない。尚、その場合、３枚目以降のＳＩＭカードに、各々シリアル番号３、４・・・ｎを付与する。そして、例えば、１枚目および２枚目のＳＩＭカードを紛失した場合、３枚目のＳＩＭカードのシリアル番号＝３を交換局２５０に報告する。これにより、それ以降において、シリアル番号＝３よりも小さいシリアル番号を持つＳＩＭカード（すなわち、１枚目および２枚目のＳＩＭカード）は、使用不可能となる。
【００３９】
また、上記の実施例では、交換局２５０に登録されたシリアル番号よりも小さいシリアル番号を持つＳＩＭカードからの発信があった場合、該発信を無効としているが、同様にして着信も無効とすることができる。
【図面の簡単な説明】
【００４０】
【図１】本発明の実施形態に係わる充電器および該充電器が充電する通信端末の構成例を示すブロック図である。
【図２】本発明の実施形態で使用されるＳＩＭカードのデータフォーマットの一例である。
【図３】一人の利用者に発行された２枚の各ＳＩＭカードの具体的データ設定例である。
【図４】本実施形態の充電器の動作例（通信端末の制御部の動作例）を説明するフローチャートである。
【図５】本発明の実施形態の通信システムの構成例を示すブロック図である。
【図６】交換局のメモリが含むＳＩＭカード管理情報格納部のデータフォーマットの一例である。
【図７】本実施形態の通信システムの動作例を説明するフローチャートである。
【符号の説明】
【００４１】
１０    充電器
１２    通信端末接続部
１４    充電回路
１６、３８    ＳＩＭカードリーダライタ
２０    通信端末
２２    充電器接続部
２４    二次電池
２６    メモリ
２８    電話帳データ
３０    メールデータ
３２    画像・音楽データ
３４、２５６    制御部
６０ａ、６０ｂ    ＳＩＭカード
１５０    管理情報格納部
１５２    ユーザデータ格納部
１６０、３００    利用者識別情報格納部
１６２、３０２    シリアル番号格納部
２５０    交換局
２５４    メモリ
２５８    ＳＩＭカード管理情報格納部
【図１】
2007174483.tif 000003
【図２】
2007174483.tif 000004
【図３】
2007174483.tif 000005
【図４】
2007174483.tif 000006
【図５】
2007174483.tif 000007
【図６】
2007174483.tif 000008
【図７】
2007174483.tif 000009